(57)【要約】【課題】  本件は、単位時間長の複数のブロックが時間軸方向に連なり、信号の乱れをモニタするための複数の参照ブロックが途中の互いに離れた位置に配置されなるサブフレーム構成の無線信号を受信して、そのサブフレームから制御情報およびデータを取り出す受信装置等に関し、制御情報の処理の高速化とデータの特性向上との双方を実現する。【解決手段】  ＬＢ５〜ＬＢ７の各ブロックについては、ＬＢ４に配置された復調用レファレンスデータ＃１のチャネル推定値に基づいた処理と、ＬＢ４とＬＢ１１に配置された２つの復調用レファレンスデータ＃１，＃２の双方のチャネル推定値に基づいた処理との双方の処理を実行する。【選択図】        図７
2009239443.tif 000002
【特許請求の範囲】
【請求項１】
単位時間長の複数のブロックが時間軸方向に連なり、該複数のブロックが制御情報を担持した制御情報ブロックとデータを担持したデータブロックを含み、制御情報ブロックがデータブロックよりも時間的に前に並べられるとともに、信号の乱れをモニタするための複数の参照ブロックが途中の互いに離れた位置に配置されなるサブフレーム構成の無線信号を受信して、該サブフレームから制御情報およびデータを取り出す受信装置であって、
前記複数の参照ブロックのうちの時間的に最初に配置された第１の参照ブロックに基づいて各ブロックの信号の乱れを補正する第１の処理を、当該サブフレームの先頭ブロックから、該第１の参照ブロックと、前記複数の参照ブロックのうちの時間的に２番目に配列された第２の参照ブロックとの間の途中に配置された所定の第１のブロックまでの、該第１の参照ブロックを除く各ブロックについて実行するとともに、
前記第１の参照ブロックと前記第２の参照ブロックとの双方に基づいて各ブロック信号の乱れを補正する第２の処理を、前記第１のブロックと同一であることを含む該第１のブロックよりも時間的に前に配列された所定のブロック以降、少なくとも、該第２の参照ブロックの直前に配列されたブロックまでの各ブロックについて実行する信号補正部を備えたことを特徴とする受信装置。
【請求項２】
前記信号補正部は、前記第２の処理を、前記第１の参照ブロックの直後に配列されたブロック以降の各ブロックについて実行するものであることを特徴とする請求項１記載の受信装置。
【請求項３】
前記第１の参照ブロックと前記第２の参照ブロックとの間の相関の強さを算出する相関算出部を備え、
前記信号補正部は、前記第２の処理の実行にあたり、前記相関算出部で算出された相関の強さに応じて、該相関が強いほど時間的に前のブロックに遡って該ブロック以降の各ブロックについて該第２の処理を実行し、かつ、該相関が少なくとも所定の強さ以上の強さであった場合に、前記第１のブロックと同一又は該第１のブロックよりも時間的に前に配列されたブロック以降の各ブロックについて該第２の処理を実行するものであることを特徴とする請求項１記載の受信装置。
【請求項４】
単位時間長の複数のブロックが時間軸方向に連なり、該複数のブロックが制御情報を担持した制御情報ブロックとデータを担持したデータブロックを含み、制御情報ブロックがデータブロックよりも時間的に前に並べられるとともに、信号の乱れをモニタするための複数の参照ブロックが途中の互いに離れた位置に配置されなるサブフレーム構成の無線信号を受信して、該サブフレームから制御情報およびデータを取り出す受信方法であって、
前記複数の参照ブロックのうちの時間的に最初に配置された第１の参照ブロックに基づいて各ブロックの信号の乱れを補正する第１の処理を、当該サブフレームの先頭ブロックから、該第１の参照ブロックと、前記複数の参照ブロックのうちの時間的に２番目に配列された第２の参照ブロックとの間の途中に配置された所定の第１のブロックまでの、該第１の参照ブロックを除く各ブロックについて実行する第１補正ステップと、
前記第１の参照ブロックと前記第２の参照ブロックとの双方に基づいて各ブロック信号の乱れを補正する第２の処理を、前記第１のブロックと同一であることを含む該第１のブロックよりも時間的に前に配列された所定のブロック以降、少なくとも、該第２の参照ブロックの直前に配列されたブロックまでの各ブロックについて実行する第２補正ステップとを有することを特徴とする受信方法。
【請求項５】
前記第２補正ステップは、前記第２の処理を、前記第１の参照ブロックの直後に配列されたブロック以降の各ブロックについて実行するステップであることを特徴とする請求項４記載の受信方法。
【請求項６】
前記第１の参照ブロックと前記第２の参照ブロックとの間の相関の強さを算出する相関算出ステップを有し、
前記第２補正ステップは、前記第２の処理の実行にあたり、前記相関算出ステップで算出された相関の強さに応じて、該相関が強いほど時間的に前のブロックに遡って該ブロック以降の各ブロックについて該第２の処理を実行し、かつ、該相関が少なくとも所定の強さ以上の強さであった場合に、前記第１のブロックと同一又は該第１のブロックよりも時間的に前に配列されたブロック以降の各ブロックについて該第２の処理を実行するステップであることを特徴とする請求項４記載の受信方法。
【発明の詳細な説明】
【技術分野】
【０００１】
本件は、単位時間長の複数のブロックが時間軸方向に連なり、信号の乱れをモニタするための複数の参照ブロックが途中の互いに離れた位置に配置されなるサブフレーム構成の無線信号を受信して、そのサブフレームから制御情報およびデータを取り出す受信装置および受信方法に関する。
【背景技術】
【０００２】
近年の無線通信技術の発展には目覚しいものがあり、その技術の発展に対応して無線通信システムも発展の一途を辿っている。
【０００３】
図１は、無線通信システムの概要を示す図である。
【０００４】
ここには、複数の移動端末１０Ａ，１０Ｂ，…と複数の基地局２０Ａ，２０Ｂ，２０Ｃ，…が示されており、移動端末１０Ａ，１０Ｂは、その移動位置に応じて、いずれかの基地局との間で無線通信を行なう。各基地局２０Ａ，２０Ｂ，２０Ｃは、いずれかの無線ネットワーク制御装置３０Ａ，３０Ｂを介して通信網４０に接続されており、その通信網４０を経由して移動端末１０Ａ，１０Ｂどうしでも通信を行なうことができる。
【０００５】
ここで、無線通信技術の１つとしてＷ−ＣＤＭＡと呼ばれる技術があり、そのＷ−ＣＤＭＡの標準仕様は、３ＧＰＰ（３ｒｄ  Ｇｅｎｅｒａｔｉｏｎ  Ｐａｒｔｎｅｒｓｈｉｐ  Ｐｒｏｊｅｃｔ）と呼ばれる組織で制定されている。この３ＧＰＰでは、今後益々急速に伸びるマルチメディアトラフィックに対応するため、高速データレート／周波数利用効率の飛躍的な向上及び低遅延の実現を目的としたＬＴＥ（Ｌｏｎｇ  Ｔｅｒｍ  Ｅｖｏｌｕｔｉｏｎ）仕様の技術検討が行われている（非特許文献１参照）。
【非特許文献１】３ＧＰＰ  ＴＳ  ３６．３００  Ｖ８．０．０（２００７−０３）
【発明の開示】
【発明が解決しようとする課題】
【０００６】
本件開示の受信装置および受信方法の課題は、制御情報の処理の高速化とデータの特性向上との双方が図られた受信装置および受信方法を提供することにある。
【課題を解決するための手段】
【０００７】
本件開示の受信装置は、単位時間長の複数のブロックが時間軸方向に連なり、それら複数のブロックが制御情報を担持した制御情報ブロックとデータを担持したデータブロックを含み、制御情報ブロックがデータブロックよりも時間的に前に並べられるとともに、信号の乱れをモニタするための複数の参照ブロックが途中の互いに離れた位置に配置されなるサブフレーム構成の無線信号を受信して、そのサブフレームから制御情報およびデータを取り出す受信装置であって、
上記複数の参照ブロックのうちの時間的に最初に配置された第１の参照ブロックに基づいて各ブロックの信号の乱れを補正する第１の処理を、そのサブフレームの先頭ブロックから、第１の参照ブロックと、上記複数の参照ブロックのうちの時間的に２番目に配列された第２の参照ブロックとの間の途中に配置された所定の第１のブロックまでの、第１の参照ブロックを除く各ブロックについて実行するとともに、
上記第１の参照ブロックと上記第２の参照ブロックとの双方に基づいて各ブロック信号の乱れを補正する第２の処理を、上記第１のブロックと同一であることを含む第１のブロックよりも時間的に前に配列された所定のブロック以降、少なくとも、第２の参照ブロックの直前に配列されたブロックまでの各ブロックについて実行する信号補正部を備えたことを特徴とする。
【０００８】
本件開示の受信装置は、１つ以上のブロックについて、第１の参照ブロックに基づく第１の処理と、第１の参照ブロックと第２の参照ブロックとの双方に基づく第２の処理との双方を実行するものであり、制御情報ブロックである可能性がある最大のブロックまで第１の処理を実行することにより制御情報を高速に出力することができ、また、データブロックである可能性のあるブロック以降のブロックについて第２の処理を実行することによりデータに対する特性改善が図られる。
【０００９】
ここで、上記受信回路において、信号補正部は、上記第２の処理を、第１の参照ブロックの直後に配列されたブロック以降の各ブロックについて実行するものであってもよく、あるいは第１の参照ブロックと第２の参照ブロックとの間の相関の強さを算出する相関算出部を備え、信号補正部は、上記第２の処理の実行にあたり、相関算出部で算出された相関の強さに応じて、その相関が強いほど時間的に前のブロックに遡ってその遡ったブロック以降の各ブロックについて第２の処理を実行し、かつ、その相関が少なくとも所定の強さ以上の強さであった場合に、第１のブロックと同一又は第１のブロックよりも時間的に前に配列されたブロック以降の各ブロックについて該第２の処理を実行するものであってもよい。
【００１０】
このように、第２の処理は、固定的に決められたブロック以降の各ブロックについて実行してもよく、第１の参照ブロックと第２の参照ブロックとの相関の強さ、すなわち、フェージングの強弱に応じて適応的に決定した、第２の処理を適用する意味のあるブロック以降の各ブロックについて実行してもよい。
【００１１】
また、本件開示の受信方法は、単位時間長の複数のブロックが時間軸方向に連なり、それら複数のブロックが制御情報を担持した制御情報ブロックとデータを担持したデータブロックを含み、制御情報ブロックがデータブロックよりも時間的に前に並べられるとともに、信号の乱れをモニタするための複数の参照ブロックが途中の互いに離れた位置に配置されなるサブフレーム構成の無線信号を受信して、そのサブフレームから制御情報およびデータを取り出す受信方法であって、
上記複数の参照ブロックのうちの時間的に最初に配置された第１の参照ブロックに基づいて各ブロックの信号の乱れを補正する第１の処理を、そのサブフレームの先頭ブロックから、第１の参照ブロックと、上記複数の参照ブロックのうちの時間的に２番目に配列された第２の参照ブロックとの間の途中に配置された所定の第１のブロックまでの、第１の参照ブロックを除く各ブロックについて実行する第１補正ステップと、
上記第１の参照ブロックと上記第２の参照ブロックとの双方に基づいて各ブロック信号の乱れを補正する第２の処理を、上記第１のブロックと同一であることを含む第１のブロックよりも時間的に前に配列された所定のブロック以降、少なくとも、第２の参照ブロックの直前に配列されたブロックまでの各ブロックについて実行する第２補正ステップとを有することを特徴とする。
【００１２】
ここで、本件開示の受信方法においても、本発明の受信装置と同様、上記第２補正ステップは、上記第２の処理を、第１の参照ブロックの直後に配列されたブロック以降の各ブロックについて実行するステップであってもよく、あるいは、第１の参照ブロックと第２の参照ブロックとの間の相関の強さを算出する相関算出ステップを有し、上記第２補正ステップは、上記第２の処理の実行にあたり、相関算出ステップで算出された相関の強さに応じて、その相関が強いほど時間的に前のブロックに遡って、その遡ったブロック以降の各ブロックについて第２の処理を実行し、かつ、その相関が少なくとも所定の強さ以上の強さであった場合に、第１のブロックと同一又は第１のブロックよりも時間的に前に配列されたブロック以降の各ブロックについて該第２の処理を実行するステップであってもよい。
【発明の効果】
【００１３】
以上の本件開示の受信装置および受信方法によれば、制御情報の高速出力とデータの特性向上との双方が実現する。
【発明を実施するための最良の形態】
【００１４】
以下、本件開示の受信装置および受信方法の実施形態について説明する。
【００１５】
前述したＬＴＥでは、無線アクセス方式にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＭＩＭＯ（Ｍｕｌｔｉ  Ｉｎｐｕｔ  Ｍｕｌｔｉ  Ｏｕｔｐｕｔ）といった新しい技術を取り入れ、飛躍的な性能改善を図っている。ＯＦＤＭでは、高速データレートの広帯域信号を多数の低速データレートのマルチキャリア信号を用いて並列伝送することにより、マルチパス干渉に対する耐性を実現する。ＯＦＤＭでは各ＯＦＤＭシンボルの先頭にＣＰ（Ｃｙｃｌｉｃ  Ｐｒｅｆｉｘ）と呼ばれるガード区間を設けることにより、前シンボルの遅延波が次シンボルに与えるシンボル干渉、サブキャリア間干渉を除去する。また、ＭＩＭＯ多重伝送では、複数の送信アンテナから同一の無線リソース（時間、周波数、コード）を用いて異なる情報データを送信することによりユーザ／セルスループットを向上する。受信機では、送信アンテナ毎の直交パイロットチャネル（リファレンスシグナル：ＲＳ）を用いて測定した送信アンテナ毎のチャネル推定値を基に送信信号の分離を行う。
【００１６】
上り移動端末から基地局側への送信リンクにおいては移動端末の低消費電力化の観点から、送信トラフィックの情報レートに応じた可変帯域幅のＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用されており、自チャネルの遅延波からの干渉を抑圧する等価処理が必要になる。周波数領域での等価処理は時間領域での処理と比較して演算量を小さくできるが、ブロック単位で時間領域信号を周波数領域の信号に変換する必要がある。よって、ブロック間干渉の影響をなくすために、ＣＰはＦＦＴブロック（ＬＢ：Ｌｏｎｇ  Ｂｌｏｃｋ）ごとに挿入される。
【００１７】
ＬＴＥではパケット交換に最適化しながら各種のＱｏＳ（Ｑｕａｌｉｔｙ  ｏｆ  Ｓｅｒｖｉｃｅ）に対応可能とするため、ほとんどのサービスや制御情報を共有チャネルにより伝送する。
【００１８】
図２は、上りリンクにおけるチャネル割当てのマップの一例を示す図である。
【００１９】
横軸は時間軸（Ｔｉｍｅ）であり１ｍｓごとにサブフレーム（Ｓｕｂｆｒａｍｅ）が構成され、さらにその半分の０．５ｍｓごとにスロット（Ｓｌｏｔ）が構成されている。
【００２０】
また、縦軸は、周波数軸（Ｆｒｅｑｕｅｎｃｙ）である。
【００２１】
この図２は、サブフレーム＃１の区間では、２つの周波数帯域ｆ０，ｆ１は制御情報送信用チャネル（以下、ＰＵＣＣＨ１と称する）として割り当てられ、周波数帯域ｆ２は共有データチャネル（以下、ＰＵＳＣＨと称する）を送信する、ある１人のユーザ（１台の移動端末（ＵＥ１））に割り当てられ、周波数帯域ｆ３は、ＰＵＳＣＨを送信する別の１人のユーザ（別の１台の移動端末（ＵＥ２））に割り当てられ、周波数帯域ｆ４，ｆ５は、周波数帯域ｆ０，ｆ１と同様ＰＵＣＣＨ１と呼ばれる制御情報チャネルに割り当てられていることを表わしている。
【００２２】
また、サブフレーム第２の区間では、周波数帯域ｆ０，ｆ１，ｆ４，ｆ５はサブフレーム＃１に引き続きＰＵＣＣＨ１と呼ばれる制御情報チャネルに割り当てられているが、周波数帯域ｆ６は、ＵＥ３に割り当てられ、周波数帯域ｆ７にＵＥ４に割り当てられ、周波数帯域Ｆ８はＵＥ５に割り当てられていることが示されている。
【００２３】
共有データチャネル（ＰＵＳＣＨ）を送信するユーザ（移動端末）の制御情報チャネル（以下、ＰＵＣＣＨ２と称する）は、そのユーザに割り当てられている周波数帯域（リソースユニットＲＵ）内で、そのユーザ（ＵＥ）の共有データチャネルＰＵＳＣＨと時間多重で送信される。ここで、ＰＵＣＣＨ２とＰＵＳＣＨの時間多重はＰＵＣＣＨ２の方が先に多重されるものとする。また、ＲＵが割り当てられていないユーザ（ＵＥ）の制御情報は、ＰＵＣＣＨ１のチャネルを使ってコード多重等により送信される。
【００２４】
図３は、ＬＴＥの上りリンクにおける共有データチャネル（ＰＵＣＣＨ２／ＰＵＳＣＨ）、制御情報チャネル（ＰＵＣＣＨ１）のフォーマットを示す図である。
【００２５】
ＰＵＣＣＨ１もＰＵＣＣＨ２／ＰＵＳＣＨも、１ｍｓのサブフレーム内に、ＬＢと呼ばれるブロックが１４個（ＬＢ１〜ＬＢ１４）配列されており、各ブロックには、その前段に、干渉を防ぐためのＣＰと呼ばれるガード区間が設けられている。
【００２６】
ＰＵＣＣＨ１には、ＬＢ１〜ＬＢ１４からなる１４個のブロックのうち、通信中の位相の回転等の変調をモニタして元の信号に復調するためのＤｅｍＲＳ（Ｄｅｍｏｄｕｒａｔｉｏｎ  Ｒｅｆｅｒｅｎｃｅ  Ｓｉｇｎａｌ）が、ＬＢ２，ＬＢ６，ＬＢ９，ＬＢ１３の４箇所に配置されており、１４個のＬＢのうちのそれら４つのＬＢを除く１０個のＬＢには、制御情報が割り当てられている。
【００２７】
ＰＵＣＣＨ２／ＰＵＳＣＨには、先頭にＳｏｕｎｄｉｎｇＲＳと呼ばれる特別なＬＢが配置され、ＬＢ４とＬＢ１１との２箇所にＤｅｍＲＳが配置され、他のＬＢにはそのＲＵが割り当てられているユーザ（ＵＥ）の制御情報ＰＵＣＣＨ２が前詰めで割り当てられ、制御情報の割り当てが終了した次のＬＢ以降、そのＵＥのＰＵＳＣＨが割り当てられる。
【００２８】
図４は、ＬＴＥ仕様の基地局（ｅＮＢ：ｅｖｏｌｖｅｄ  ＮｏｄｅＢ）のベースバンド受信回路を示すブロック図である。
【００２９】
この受信回路１００では、受信されたＳＣ−ＦＤＭＡ信号に対して、ＣＰ除去処理部１０１によるＣＰ除去処理、ＦＦＴ処理部１０２によるＦＦＴ処理、およびサブキャリアデマッピング部１０３によるサブキャリアデマッピング処理が行なわれる。
【００３０】
ＣＰ除去処理は、送信遅延による信号の欠落を防ぐために冗長化されて送信されてきた信号から冗長性を省いた信号を取り出す処理であり、ＦＦＴ処理は受信信号を周波数軸方向に分解するフーリエ変換処理であり、サブキャリアデマッピングは周波数軸方向に分解された信号を、例えば図２に示すサブフレーム＃１の場合の、各周波数帯域ｆ０〜ｆ５に分離する処理である。
【００３１】
サブキャリアデマッピング処理部１０３の出力信号は、チャネル推定／フェージング周波数推定／線形補間処理部１０４と、そのチャネル推定／フェージング周波数推定／線形補間処理部１０４での処理の終了まで信号を待たせておくためのバッファ１０５に入力される。
【００３２】
チャネル推定／フェージング周波数推定／線形補間処理部１０４では、各チャネルのＤｅｍＲＳのＬＢに基づいてチャネル推定値の算出およびフェージング周波数推定が行なわれ、２つのＤｅｍＲＳに挟まれたＬＢについて、その２つのＤｅｍＲＳのチャネル推定値に基づく線形補間処理が行なわれる。チャネル推定／フェージング周波数推定／線形補間処理部１０４の処理結果は、周波数等価処理部１０６に伝えられ、周波数等価処理が行なわれる。この周波数等価処理が行なわれた後の信号は、ＰＵＳＣＨ／ＰＵＣＣＨ２のチャネルに関しては、ＩＤＦＴ処理部１０７、信号点デマッピング処理部１０８、および復号・平均化処理部１０９による、それぞれ、各チャネルごとの逆フーリエ変換処理、信号点デマッピング処理、および復号・平均化処理が行なわれてＰＵＳＣＨデータおよびＰＵＣＣＨ２データが出力される。また、周波数等価処理部１０６から出力された、ＰＵＣＣＨ１の信号はブロック逆拡散部１１０、信号点デマッピング処理部１１１および復号・平均化処理部１１２により、それぞれ各ＬＢごとの逆拡散処理、信号デマッピング処理および復号・平均化処理が行なわれてＰＵＣＣＨ１データが出力される。
【００３３】
ここで、フェージング周波数推定処理を実行するチャネル推定／フェージング周波数推定／線形補間処理部１０４が、相関算出部の一例に相当し、周波数等価処理を行なう周波数等価処理部１０６が信号補正部の一例に相当する。但し、周波数等価処理部１０６における周波数等価処理のための前処理である、チャネル推定／フェージング周波数推定／線形補間処理部１０４で行なわれる線形補間処理を含めたもの、すなわち、チャネル推定／フェージング周波数推定／線形補間処理部１０４と周波数等価処理部１０６との複合を、信号補正部の一例として捉えてもよい。
【００３４】
またこの受信回路１００には、各部１０１〜１１２の制御を司る制御回路１１３が備えられており、２つの復号・平均化処理部１０９，１１２から出力されたＰＵＣＣＨ２データおよびＰＵＣＣＨ１データは制御回路１１３にも入力され、それらの制御情報に応じて各部１０１〜１１２の制御が行なわれる。
【００３５】
以下では、本実施形態で着目しているＰＵＣＣＨ２／ＰＵＳＣＨチャネルについてさらに説明を続ける。
【００３６】
図５は、図４に１つのブロックで示すチャネル推定／フェージング周波数推定／線形補間処理部１０４における処理のうちの線形補間処理の概要を示す図である。
【００３７】
ここには、図２に示す１つのサブフレームの中に配列された１４個のＬＢのうちのＬＢ４，ＬＢ１１に配列されたＤｅｍＲＳ＃１，ＤｅｍＲＳ＃２の各チャネル推定値ＣＨｅｓｔ＿ＲＳ＃１，ＣＨｅｓｔ＿ＲＳ＃２が入力され、さらに、それら２つのＤｅｍＲＳに基づいて求められるフェージング周波数推定結果と今回処理しようとしているＬＢの番号が入力される。フェージング周波数推定結果とＬＢ番号は係数テーブル１０４１に入力され、このテーブル１０４１からは、ＬＢ４のＤｅｍＲＳ＃１のチャネル推定値ＣＨｅｓｔ＿ＲＳ＃１に対する重みα１と、ＬＢ１１のＤｅｍＲＳ＃１のチャネル推定値ＣＨｅｓｔ＿ＲＳ＃２に対する重みα２が出力される。ここで、α１＋α２＝１．０に設定されている。
【００３８】
２つの乗算器１０４２，１０４３のうちの一方の乗算器１０４２では、ＬＢ４のＤｅｍＲＳ＃１のチャネル推定値ＣＨｅｓｔ＿ＲＳ＃１に重みα１が乗算され、もう１つの乗算器１０４３ではＬＢ１１のＤｅｍＲＳ＃１のチャネル推定値ＣＨｅｓｔ＿ＲＳ＃２に重みα２が乗算される。それら２つの乗算器１０４２，１０４３からの２つの出力は発振器１０４４に入力され、周波数等価処理部１０６（図４参照）における、そのＰＵＣＣＨ２／ＰＵＳＣＨチャネルの周波数等価処理に適用される各ＬＢごとのチャネル推定値ＣＨｅｓｔ＿ｆｅｑが、
ＣＨｅｓｔ＿ｆｅｑ＝（ＣＨｅｓｔ＿ＲＳ＃１×α１）＋（ＣＨｅｓｔ＿ＲＳ＃２×α２）
但し、α１＋α２＝１
として求められる。
【００３９】
ここで、フェージングが弱いときは、係数テーブル１０４１からは、今回処理しようとしているＬＢ（ＬＢαとする）とＤｅｍＲＳ＃１が配置されたＬＢ４との間の距離と、そのＬＢαとＤｅｍＲＳ＃２が配置されたＬＢ１１との間の距離のみに応じた重み係数α１，α２が出力される。例えばＬＢ８については、ＬＢ４からの距離は４、ＬＢ１１からの距離は３なので、
【００４０】
【数１】
2009239443.tif 000003
【００４１】
【数２】
2009239443.tif 000004
【００４２】
が出力される。一方、フェージングが強いときは、その強さに応じて、ＬＢ４のＤｅｍＲＳ＃１のチャネル推定値ＣＨｅｓｔ＿ＲＳ＃１とＬＢ１１のＤｅｍＲＳ＃２のチャネル推定値ＣＨｅｓｔ＿ＲＳ＃２とのうちの、距離が近い方のチャネル推定値の影響がより大きくなるような重み係数α１，α２が出力される。例えば、ＬＢ８については、ＬＢ１１との距離が短いためＤｅｍＲＳ＃２のチャネル推定値ＣＨｅｓｔ＿ＲＳ＃２の影響をより強く受けるように、係数テーブル１０４１からは、α１として上記のα１＝０．４３よりも小さい、例えばα１＝０．３８が出力され、α２として上記のα２＝０．５７よりも大きい例えばα２＝０．６２が出力される。
【００４３】
このような線形補間処理を行なうと、より精度の高いチャネル推定値が算出され、より精度の高い周波数等価処理を行なうことが可能となり、データの受信精度を向上させることができる。
【００４４】
図６は、図２に示す受信回路における処理の流れを示す図である。ここでは、この図６を参照して、本件開示の実施形態と対比される比較例について説明する。
【００４５】
ここには、縦方向上から下に向かって時間が経過していくように示されている。
【００４６】
尚、ここでは、最大ＬＤ７までＰＵＣＣＨ２がマッピングされているものとする。
【００４７】
図６（Ａ）には、サブフレーム２つ分のＬＢの配列が示されており、上から下に向かってこの順にＣＰ除去処理部１０１によるＣＰ除去処理、ＦＦＴ処理部１０２によるＦＦＴ処理、サブキャリアデマッピング部１０３によるサブキャリアデマッピング処理、およびバッファ１０５への格納処理が行なわれる。
【００４８】
図６（Ｂ）は、チャネル推定／フェージング周波数推定／線形補間処理部１０４におけるチャネル推定値算出処理および線形補間処理のタイミングを表わしており、ＬＢ４については、図６（Ａ）の処理が終了した後に図６（Ｂ）の処理が行なわれ、ＬＢ１１についても同様に、そのＬＢ１１についての図６（Ａ）の処理が終了した後に図６（Ｂ）の処理が行なわれる。
【００４９】
図６（Ｃ−１）、図６（Ｃ−２）、図６（Ｃ−３）は、周波数等価処理部１０６における周波数等価処理、およびＩＤＦＴ処理部１０７、信号点デマッピング処理部１０８、および復号・平均化処理部１０９における各チャネルごとの逆フーリエ変換処理、信号点デマッピング処理、および復号・平均化処理の処理タイミングの各バリエーションが示されている。
【００５０】
図６（Ｃ−１）に示すパターン＃１は、ＰＵＳＣＨの特性を優先する処理であり、周波数等価処理部１０６では、ＬＢ１，ＬＢ２，ＬＢ３については、ＤｅｍＲＳ＃１のチャネル推定値が適用された周波数等価処理が行なわれ、ＬＢ５以降（ＬＢ４は対象外）の各ＬＢについては、ＤｅｍＲＳ＃１とＤｅｍＲＳ＃２の２つのチャネル推定値を用いた補間演算により求められた、各ＬＢごとのチャネル推定値が適用された周波数等価処理が行なわれ、特性改善が図られている。
【００５１】
この場合、２つのＤｅｍＲＳに挟まれたＬＢ５以降について特性改善が図られ、特性改善の観点からは好ましいが、ＬＢ５以降の各ＬＢについては、ＬＢ１１（ＤｅｍＲＳ＃２）に対する図６（Ｂ）の処理、すなわち、ＬＢ１１に対するチャネル推定／フェージング周波数推定／線形補間処理部１０４におけるチャネル推定値算出処理および線形補間処理が終了してからでないと図６（Ｃ−１）の処理を開始することができない。
【００５２】
仮にＬＢ７までＰＵＣＣＨ２がマッピングされているものとすると、ＬＢ１１（ＤｅｍＲＳ＃２）についての図６（Ｂ）の処理を待つ結果、図（Ｃ−１）の矢印Ａに示すように、ＬＢ７までのＰＵＣＣＨ２の処理が遅れてしまうことになる。制御情報であるＰＵＣＣＨ２は、特性の良好さとともにデータ出力までの速度も必要であり、データ出力が遅れると、図４に示す制御回路１１３による制御が遅れてしまい、正しい制御を行なうことができないおそれを生じることになる。
【００５３】
一方、図６（Ｃ−３）は、ＬＢ１１（ＤｅｍＲＳ＃２）についての図６（Ｂ）の処理を待たずに、ＬＢ４（ＤｅｍＲＳ＃１）のチャネル推定値のみでＬＢ７までの処理を完了させてしまい、ＬＢ１１（ＤｅｍＲＳ＃２）のチャネル推定値はＬＢ８以降にのみ反映させる処理を表わしている。この場合、図６（Ｃ−３）に矢印Ａで示すように、ＬＢ７までマッピングされているＰＵＣＣＨ２の制御情報は大きな遅れを伴うことなく出力されるのでこの点では好ましい。しかし、ＰＵＣＣＨ２は、最大でＬＢ７までマッピングされるのであって、例えばＰＵＣＣＨ２はＬＢ３までであって、ＬＢ５からはＰＵＳＣＨがマッピングされている可能性もある。この場合、ＰＵＳＣＨについては、データ出力までの速さよりも特性が重要視されるところ、ＬＢ５，ＬＢ６に関し、ＰＵＳＣＨの特性改善が図られないという問題がある。
【００５４】
図６（Ｃ−２）は、図６（Ｃ−１）と図６（Ｃ−３）との中間的な手法を示しており、ＬＢ５までの各ＬＢについてはＬＢ４（ＤｅｍＲＳ＃１）のチャネル推定値のみを用いた周波数等価処理を行ない、ＬＢ６以降の各ＬＢについてＬＢ１１（ＤｅｍＲＳ＃２）のチャネル推定値を反映させている。
【００５５】
この場合、ＰＵＣＣＨ２がＬＢ５までマッピングされているときは、ＰＳＣＣＨ２の高速処理とＰＵＳＣＨの特性改善が図られることとなるが、ＬＢ６又はそれ以降のＬＢまでＰＵＣＣＨ２がマッピングされているとＰＵＣＣＨ２の高速処理が失なわれ、ＰＵＣＣＨ２がＬＢ３又はそれ以前のＬＢまでしかマッピングされていない場合は、ＰＵＳＣＨの特性改善が十分ではないという問題を生じることになる。
【００５６】
図７は、第１実施形態における処理の流れを示す図である。
【００５７】
図７（Ａ）、図７（Ｂ）は、図６（Ａ）、図６（Ｂ）とそれぞれ同じ図であり、ここでの説明は省略する。
【００５８】
図７（Ｃ）は、周波数等価処理部１０６における周波数等価処理およびＩＤＦＴ処理部１０７、信号点デマッピング処理部１０８、および復号・平均化処理部１０９における各チャネルごとの逆フーリエ変換処理、信号点デマッピング処理、および復号・平均化処理の処理タイミングを示している。この図７（Ｃ）では、ＬＢ４のＤｅｍＲＳ＃１のチャネル推定値に基づく周波数等価処理をＬＢ７まで実行するとともに、ＬＢ４のＤｅｍＲＳ＃１とＬＢ１１のＤｅｍＲＳ＃２と双方のチャネル推定値に基づく線形補間処理により求めた各ＬＢごとのチャネル推定値に基づく周波数等価処理をＬＢ５以降の各ＬＢについて実行しており、図７（Ｃ）に線分Ｃで示すように、ＬＢ５〜ＬＢ７については、２つの処理双方が行なわれている。
【００５９】
この場合、ＬＢ７までマッピングされている可能性のあるＰＵＣＣＨ２については、図７（Ｃ）に矢印Ａで示すように、全てのＬＢについて高速処理が行なわれ、ＬＢ５以降の各ＬＢについては特性向上が図られているためＰＵＳＣＨについても高い確率で全てのＬＢの特性が向上する。
【００６０】
図８は、第２実施形態における処理の流れを示す図である。
【００６１】
ここでも図８（Ａ）、図８（Ｂ）は、図６（Ａ）、図６（Ｂ）とそれぞれ同じ図であり、ここでの説明は省略する。
【００６２】
図８（Ｃ−１）〜図８（Ｃ−４）は、いずれも、周波数等価処理およびその後の処理のタイミングを示している。図８（Ｃ−１）〜図８（Ｃ−４）の相違点は、図８（Ｃ−１）側ほど、ＬＢ４のＤｅｍＲＳ＃１とＬＢ１１のＤｅｍＲＳ＃２との相関係数が大きく、したがってフェージングが弱く、図８（Ｃ−４）側ほどその相関係数が小さく、したがってフェージングが強いことを表わしている。
【００６３】
図８（Ｃ−１）〜図８（Ｃ−４）のいずれにおいても、ＬＢ４のＤｅｍＲＳ＃１のチャネル推定値のみに基づいてＬＢ７まで処理が行なわれているが、ＬＢ４のＤｅｍＲＳ＃１のチャネル推定値とＬＢ１１のＤｅｍＲＳ＃２のチャネル推定値との双方に基づく処理は、図８（Ｃ−１）では、ＬＢ５以降の各ＬＢについて行なわれ、図８（Ｃ−２）ではＬＢ６以降の各ＬＢについて行なわれ、図８（Ｃ−３）ではＬＢ７以降の各ＬＢについて行なわれ、図８（Ｃ−４）ではＬＢ８以降の各ＬＢについて行なわれている。
【００６４】
これは、ＤｅｍＲＳ＃１とＤｅｍＲＳ＃２の相関係数が小さいときはフェージングが強く、したがってＤｅｍＲＳ＃２から離れた距離（ＤｅｍＲＳ＃１に近い距離）にあるＬＢについてはＤｅｍＲＳ＃２のチャネル推定値とは相関が低いためＤｅｍＲＳ＃２のチャネル推定値を反映させることがかえって特性を悪化させるおそれがあるからである。
【００６５】
この図８の場合も、ＰＵＣＣＨ２について処理の高速化が図られるとともに、フェージングの強弱に応じて、特性向上を図ることのできるＬＢについては、ＤｅｍＲＳ＃１のチャネル推定値のみを反映させた処理と重複させて再度処理を行なうことにより、最大限の特性向上が図られている。
【００６６】
尚ここでは、最大限ＬＢ７までＰＵＣＣＨ２がマッピングされるものとして説明したがＰＵＣＣＨ２が最大限他のＬＢまでマッピングされる場合にも、同様に適用可能である。
【図面の簡単な説明】
【００６７】
【図１】無線通信システムの概要を示す図である。
【図２】上りリンクにおけるチャネル割当てのマップの一例を示す図である。
【図３】ＬＴＥの上りリンクにおける共有データチャネル（ＰＵＣＣＨ２／ＰＵＳＣＨ）、制御情報チャネル（ＰＵＣＣＨ１）のフォーマットを示す図である。
【図４】ＬＴＥ仕様の基地局（ｅＮＢ：ｅｖｏｌｖｅｄ  ＮｏｄｅＢ）のベースバンド受信回路を示すブロック図である。
【図５】図４に１つのブロックで示すチャネル推定／フェージング周波数推定／線形補間処理部における処理のうちの線形補間処理の概要を示す図である。
【図６】図２に示す受信回路における処理の流れを示す図である。
【図７】第１実施形態における処理の流れを示す図である。
【図８】第２実施形態における処理の流れを示す図である。
【符号の説明】
【００６８】
１０Ａ，１０Ｂ    移動端末
２０Ａ，２０Ｂ，２０Ｃ    基地局
３０Ａ，３０Ｂ    無線ネットワーク制御装置
４０    通信網
１００    受信回路
１０１    ＣＰ除去処理部
１０２    ＦＦＴ
１０３    サブキャリアデマッピング部
１０４    チャネル推定／フェージング周波数推定／線形補間処理部
１０５    バッファ
１０６    周波数等価処理部
１０７    ＩＤＦＴ処理部
１０８，１１１    信号点デマッピング処理部
１０９，１１２    復号・平均化処理部
１１０    ブロック逆拡散部
１１３    制御回路
１０４１    係数テーブル
１０４２，１０４３    乗算器
【図１】
2009239443.tif 000005
【図２】
2009239443.tif 000006
【図３】
2009239443.tif 000007
【図４】
2009239443.tif 000008
【図５】
2009239443.tif 000009
【図６】
2009239443.tif 000010
【図７】
2009239443.tif 000011
【図８】
2009239443.tif 000012